(57)【要約】【課題】多重跳びでの跳躍回数を把握できる多重跳び検知システムと、それに用いる跳び縄および跳躍板を提供する。【解決手段】多重跳び検知システムは、ロープの両端にグリップを有しロープのほぼ中央に磁石を有する跳び縄と、磁石の通過により発生する磁界の変化と跳躍により発生する振動とを検知し検知結果に基づいて跳躍回数と１跳躍あたりのロープの回転数を演算して演算結果を外部に無線送信する跳躍板と、跳躍板から演算結果を受信し演算結果を表示する表示装置とを備え、跳躍板は本体部と脚部とからなり、本体部は、本体部のほぼ中央に配置されたコイルと、コイルと電気的に接続され跳躍によって磁石がコイルの上方を通過した際にコイルから電力が供給されて動作して演算結果を外部に無線送信する無線モジュールとを有し、脚部は、無線モジュールと電気的に接続され跳躍により発生する振動で発電する環境発電素子を有する。【選択図】図１
2018126373.tif 000002
【特許請求の範囲】
【請求項１】
ロープの両端にグリップを有し前記ロープのほぼ中央に磁石を有する跳び縄と、前記磁石の通過により発生する磁界の変化と跳躍により発生する振動とを検知し検知結果に基づいて跳躍回数と１跳躍あたりの前記ロープの回転数を演算して演算結果を外部に無線送信する跳躍板と、前記跳躍板から前記演算結果を受信し前記演算結果を表示する表示装置とを備え、
前記跳躍板は本体部と脚部とからなり、
前記本体部は、前記本体部のほぼ中央に配置されたコイルと、前記コイルと電気的に接続され跳躍によって前記磁石が前記コイルの上方を通過した際に前記コイルから電力が供給されて動作して前記演算結果を外部に無線送信する無線モジュールとを有し、
前記脚部は、前記無線モジュールと電気的に接続され跳躍により発生する振動で発電する環境発電素子を有することを特徴とする多重跳び検知システム。
【請求項２】
ロープの両端にグリップを有し前記ロープの回転を検知し制御信号として外部に無線送信する跳び縄と、前記跳び縄を用いた跳躍による磁界の変化と振動とを検知し検知結果に基づいて跳躍回数と１跳躍あたりの前記ロープの回転数を演算して演算結果を外部に無線送信する跳躍板と、前記跳躍板から前記演算結果を受信し前記演算結果を表示する表示装置とを備え、
前記跳び縄は、前記ロープのほぼ中央にコイルが配置され、前記グリップに前記コイルと電気的に接続され跳躍によって前記コイルが前記跳躍板のほぼ中央に配置された磁石の上方を通過した際に前記コイルから電力が供給されて動作して前記演算結果を外部に無線送信する第１無線モジュールが内蔵され、
前記跳躍板は脚部と本体部とからなり、
前記脚部は、跳躍により発生する振動で発電する環境発電素子を有し、
前記本体部は、前記磁石と、前記環境発電素子と電気的に接続され前記環境発電素子が発電した電力が供給された際に動作して前記演算結果を外部に送信する第２無線モジュールとを有することを特徴とする多重跳び検知システム。
【請求項３】
跳躍による磁界の変化と振動とを検知して検知結果を外部に無線送信する跳躍板と、ロープの両端にグリップを有し前記ロープの回転を検知して検知結果と前記跳躍板からの検知結果に基づいて跳躍回数と１跳躍あたりの前記ロープの回転数を演算して演算結果を外部に無線送信する跳び縄と、前記跳び縄から前記演算結果を受信し跳躍回数を表示する表示装置とを備え、
前記跳躍板は脚部と本体部とからなり、
前記脚部は、跳躍により発生する振動で発電する環境発電素子を有し、
前記本体部は、前記本体部のほぼ中央に配置された磁石と、前記環境発電素子と電気的に接続され跳躍により電力が供給された際に動作して前記演算結果を外部に送信する第２無線モジュールとを有し、
前記跳び縄は、前記ロープのほぼ中央にコイルが配置され、前記グリップに前記コイルと電気的に接続され跳躍によって前記コイルが前記磁石の上方を通過して前記コイルから電力が供給された際に動作する第１無線モジュールが内蔵されていることを特徴とする多重跳び検知システム。
【請求項４】
ロープの両端にグリップを有し跳躍を検知し検知結果を外部に無線送信する跳び縄と、跳躍による磁界の変化と振動とを検知し検知結果を外部に無線送信する跳躍板と、前記跳び縄と前記跳躍板とから検知結果を受信し両検知結果に基づいて跳躍回数と１跳躍あたりの前記ロープの回転数を演算して演算結果を表示する表示装置とを備え、
前記跳躍板は脚部と本体部とからなり、
前記脚部は、跳躍により発生する振動で発電する環境発電素子を有し、
前記本体部は、前記本体部のほぼ中央に配置された磁石と、前記環境発電素子と電気的に接続され跳躍により電力が供給された際に動作して前記検知結果を外部に送信する第２無線モジュールとを有し、
前記跳び縄は、前記ロープのほぼ中央にコイルが配置され、前記グリップに前記コイルと電気的に接続され跳躍によって前記コイルが前記磁石の上方を通過して前記コイルから電力が供給された際に動作して前記検知結果を外部に送信する第１無線モジュールが内蔵されていることを特徴とする多重跳び検知システム。
【請求項５】
前記環境発電素子は、圧電効果または電磁誘導を利用する素子である請求項１から４のいずれか１項に記載の多重跳び検知システム。
【請求項６】
本体部と脚部とからなり、
前記本体部は、前記本体部のほぼ中央に配置されたコイルと、前記コイルと電気的に接続され磁石の通過により前記コイルから電力が供給されて動作して跳躍回数と１跳躍あたりの前記磁石の通過回数を外部に無線送信する無線モジュールとを有し、
前記脚部は、前記無線モジュールと電気的に接続され跳躍による振動で発電する環境発電素子を有することを特徴とする跳躍板。
【請求項７】
ロープと前記ロープの両端に設置されたグリップとを備え、前記ロープのほぼ中央に磁石を有することを特徴とする跳び縄。
【請求項８】
脚部と本体部からなり、
前記脚部は、跳躍により発生する振動で発電する環境発電素子を有し、
前記本体部は、前記本体部のほぼ中央に配置された磁石と、前記環境発電素子と電気的に接続されコイルの通過により電力が供給された際に動作して跳躍回数と１跳躍あたりの前記コイルの通過回数を演算して演算結果を外部に送信する無線モジュールとを有することを特徴とする跳躍板。
【請求項９】
ロープと前記ロープの両端に設置されたグリップとを備え、前記ロープのほぼ中央にコイルが配置され、前記グリップに前記コイルと電気的に接続され磁石の上方を通過することにより前記コイルから電力が供給されて動作して跳躍回数と１跳躍あたりの前記ロープの回転数を演算して演算結果を外部に送信する無線モジュールが内蔵されていることを特徴とする跳び縄。
【請求項１０】
脚部と本体部からなり、
前記脚部は、跳躍により発生する振動で発電する環境発電素子を有し、
前記本体部は、前記本体部のほぼ中央に配置された磁石と、前記環境発電素子と電気的に接続され跳躍により電力が供給された際に動作して跳躍回数を外部に送信する無線モジュールとを有することを特徴とする跳躍板。
【請求項１１】
ロープと前記ロープの両端に設置されたグリップとを備え、前記ロープのほぼ中央にコイルが配置され、前記グリップに前記コイルと電気的に接続され磁石の上方を通過することにより前記コイルから電力が供給されて動作して前記ロープの回転数を外部に送信する無線モジュールが内蔵されていることを特徴とする跳び縄。
【請求項１２】
前記環境発電素子は、圧電効果または電磁誘導を利用する素子である請求項６、８、１０のいずれか１項に記載の跳躍板。
【発明の詳細な説明】
【技術分野】
【０００１】
本発明は、多重跳び検知システムとそれに用いる跳び縄および跳躍板に関する。
【背景技術】
【０００２】
健康志向が高まる中、手軽にできる運動として縄跳びが注目を浴びている。縄跳びに用いる跳び縄として、自分が何回跳んだのかをグリップに表示する跳び縄が開発されている。たとえば、特許文献１には、グリップに回転センサと表示器を備えた跳び縄が開示されている。縄跳びをすることによってロープが回転すると、回転センサが回転数を検知し、表示器に跳躍回数が表示される。また、特許文献２には、グリップに圧電振動ジャイロと表示器を備えた跳び縄が開示されている。縄跳びをすることによってロープが回転すると、ジャイロが回転して圧電素子が信号を発し、表示器に跳躍回数が表示される。これらの跳び縄は、ロープの回転数を跳躍回数として表示することができる。
【先行技術文献】
【特許文献】
【０００３】
【特許文献１】特開昭６１‐２５７６６３号公報
【特許文献２】特開平７‐２８４５４９号公報
【発明の概要】
【発明が解決しようとする課題】
【０００４】
しかし、従来の跳び縄は、あくまでロープの回転数が跳躍回数として表示されるものであった。そのため、２重跳びや３重跳びといった多重跳びをした場合、実際に跳んだ回数よりもロープの回転数の方が多くなり、多重跳びでの跳躍回数が正確に分からないという問題があった。
【０００５】
本発明は上記のような課題を解決するためになされたものであり、多重跳びでの跳躍回数を把握できる多重跳び検知システムと、それに用いる跳び縄および跳躍板を提供することを目的とする。
【課題を解決するための手段】
【０００６】
以下に、課題を解決するための手段として複数の態様を説明する。これら態様は必要に応じて任意に組み合わせることができる。
【０００７】
本発明の多重跳び検知システムは、
ロープの両端にグリップを有しロープのほぼ中央に磁石を有する跳び縄と、磁石の通過により発生する磁界の変化と跳躍により発生する振動とを検知し検知結果に基づいて跳躍回数と１跳躍あたりのロープの回転数を演算して演算結果を外部に無線送信する跳躍板と、跳躍板から演算結果を受信し演算結果を表示する表示装置とを備え、
跳躍板は本体部と脚部とからなり、
本体部は、本体部のほぼ中央に配置されたコイルと、コイルと電気的に接続され跳躍によって磁石がコイルの上方を通過した際にコイルから電力が供給されて動作して演算結果を外部に無線送信する無線モジュールとを有し、
脚部は、無線モジュールと電気的に接続され跳躍により発生する振動で発電する環境発電素子を有することを特徴とするものである。
【０００８】
また、本発明の多重跳び検知システムは、
ロープの両端にグリップを有しロープの回転を検知し制御信号として外部に無線送信する跳び縄と、跳び縄を用いた跳躍による磁界の変化と振動とを検知し検知結果に基づいて跳躍回数と１跳躍あたりのロープの回転数を演算して演算結果を外部に無線送信する跳躍板と、跳躍板から演算結果を受信し演算結果を表示する表示装置とを備え、
跳び縄は、ロープのほぼ中央にコイルが配置され、グリップにコイルと電気的に接続され跳躍によってコイルが跳躍板のほぼ中央に配置された磁石の上方を通過した際にコイルから電力が供給されて動作して演算結果を外部に無線送信する第１無線モジュールが内蔵され、
跳躍板は脚部と本体部とからなり、
脚部は、跳躍により発生する振動で発電する環境発電素子を有し、
本体部は、磁石と、環境発電素子と電気的に接続され環境発電素子が発電した電力が供給された際に動作して演算結果を外部に送信する第２無線モジュールとを有することを特徴とするものである。
【０００９】
また、本発明の多重跳び検知システムは、
跳躍による磁界の変化と振動とを検知して検知結果を外部に無線送信する跳躍板と、ロープの両端にグリップを有しロープの回転を検知して検知結果と跳躍板からの検知結果に基づいて跳躍回数と１跳躍あたりのロープの回転数を演算して演算結果を外部に無線送信する跳び縄と、跳び縄から演算結果を受信し跳躍回数を表示する表示装置とを備え、
跳躍板は脚部と本体部とからなり、
脚部は、跳躍により発生する振動で発電する環境発電素子を有し、
本体部は、本体部のほぼ中央に配置された磁石と、環境発電素子と電気的に接続され跳躍により電力が供給された際に動作して演算結果を外部に送信する第２無線モジュールとを有し、
跳び縄は、ロープのほぼ中央にコイルが配置され、グリップにコイルと電気的に接続され跳躍によってコイルが磁石の上方を通過してコイルから電力が供給された際に動作する第１無線モジュールが内蔵されていることを特徴とするものである。
【００１０】
また、本発明の多重跳び検知システムは、
ロープの両端にグリップを有しロープの回転を検知し検知結果を外部に無線送信する跳び縄と、跳躍による磁界の変化と振動とを検知し検知結果を外部に無線送信する跳躍板と、跳び縄と跳躍板とから検知結果を受信し両検知結果に基づいて跳躍回数と１跳躍あたりのロープの回転数を演算して演算結果を表示する表示装置とを備え、
跳躍板は脚部と本体部とからなり、
脚部は、跳躍により発生する振動で発電する環境発電素子を有し、
本体部は、本体部のほぼ中央に配置された磁石と、環境発電素子と電気的に接続され跳躍により電力が供給された際に動作して検知結果を外部に送信する第２無線モジュールとを有し、
跳び縄は、ロープのほぼ中央にコイルが配置され、グリップにコイルと電気的に接続され跳躍によってコイルが磁石の上方を通過してコイルから電力が供給された際に動作して検知結果を外部に送信する第１無線モジュールが内蔵されていることを特徴とするものである。
【００１１】
好ましくは、環境発電素子は、圧電効果または電磁誘導を利用する素子である。
【００１２】
本発明の跳躍板は、
本体部と脚部とからなり、
本体部は、本体部のほぼ中央に配置されたコイルと、コイルと電気的に接続され磁石の通過によりコイルから電力が供給されて動作して跳躍回数と１跳躍あたりの磁石の通過回数を外部に無線送信する無線モジュールとを有し、
脚部は、無線モジュールと電気的に接続され跳躍による振動で発電する環境発電素子を有することを特徴とするものである。
【００１３】
本発明の跳び縄は、
ロープとロープの両端に設置されたグリップとを備え、ロープのほぼ中央に磁石を有することを特徴とするものである。
【００１４】
また、本発明の跳躍板は、
脚部と本体部からなり、
脚部は、跳躍により発生する振動で発電する環境発電素子を有し、
本体部は、本体部のほぼ中央に配置された磁石と、環境発電素子と電気的に接続されコイルの通過により電力が供給された際に動作して跳躍回数と１跳躍あたりのコイルの通過回数を演算して演算結果を外部に送信する無線モジュールとを有することを特徴とするものである。
【００１５】
また、本発明の跳び縄は、
ロープとロープの両端に設置されたグリップとを備え、ロープのほぼ中央にコイルが配置され、グリップにコイルと電気的に接続され磁石の上方を通過することによりコイルから電力が供給されて動作して跳躍回数と１跳躍あたりのロープの回転数を演算して演算結果を外部に送信する無線モジュールが内蔵されていることを特徴とするものである。
【００１６】
また、本発明の跳躍板は、
脚部と本体部からなり、
脚部は、跳躍により発生する振動で発電する環境発電素子を有し、
本体部は、本体部のほぼ中央に配置された磁石と、環境発電素子と電気的に接続され跳躍により電力が供給された際に動作して跳躍回数を外部に送信する無線モジュールとを有することを特徴とするものである。
【００１７】
また、本発明の跳び縄は、
ロープとロープの両端に設置されたグリップとを備え、ロープのほぼ中央にコイルが配置され、グリップにコイルと電気的に接続され磁石の上方を通過することによりコイルから電力が供給されて動作してロープの回転数を外部に送信する無線モジュールが内蔵されていることを特徴とするものである。
【００１８】
好ましくは、環境発電素子は、圧電効果または電磁誘導を利用する素子である。
【発明の効果】
【００１９】
本発明の多重跳び検知システムは、ロープの両端にグリップを有しロープのほぼ中央に磁石を有する跳び縄と、磁石の通過により発生する磁界の変化と跳躍により発生する振動とを検知し検知結果に基づいて跳躍回数と１跳躍あたりのロープの回転数を演算して演算結果を外部に無線送信する跳躍板と、跳躍板から演算結果を受信し演算結果を表示する表示装置とを備え、跳躍板は本体部と脚部とからなり、本体部は、本体部のほぼ中央に配置されたコイルと、コイルと電気的に接続され跳躍によって磁石がコイルの上方を通過した際にコイルから電力が供給されて動作して演算結果を外部に無線送信する無線モジュールとを有し、脚部は、無線モジュールと電気的に接続され跳躍により発生する振動で発電する環境発電素子を有するように構成した。
したがって、本発明の多重跳び検知システムによれば、多重跳びでの跳躍回数を把握することができる。
【００２０】
本発明の多重跳び検知システムは、ロープの両端にグリップを有しロープの回転を検知し制御信号として外部に無線送信する跳び縄と、跳び縄を用いた跳躍による磁界の変化と振動とを検知し検知結果に基づいて跳躍回数と１跳躍あたりのロープの回転数を演算して演算結果を外部に無線送信する跳躍板と、跳躍板から演算結果を受信し演算結果を表示する表示装置とを備え、跳び縄は、ロープのほぼ中央にコイルが配置され、グリップにコイルと電気的に接続され跳躍によってコイルが跳躍板のほぼ中央に配置された磁石の上方を通過した際にコイルから電力が供給されて動作して演算結果を外部に無線送信する第１無線モジュールが内蔵され、跳躍板は脚部と本体部とからなり、脚部は、跳躍により発生する振動で発電する環境発電素子を有し、本体部は、磁石と、環境発電素子と電気的に接続され環境発電素子が発電した電力が供給された際に動作して演算結果を外部に送信する第２無線モジュールとを有するように構成した。
したがって、本発明の多重跳び検知システムによれば、多重跳びでの跳躍回数を把握することができる。
【００２１】
本発明の多重跳び検知システムは、跳躍による磁界の変化と振動とを検知して検知結果を外部に無線送信する跳躍板と、ロープの両端にグリップを有しロープの回転を検知して検知結果と跳躍板からの検知結果に基づいて跳躍回数と１跳躍あたりのロープの回転数を演算して演算結果を外部に無線送信する跳び縄と、跳び縄から演算結果を受信し跳躍回数を表示する表示装置とを備え、跳躍板は脚部と本体部とからなり、脚部は、跳躍により発生する振動で発電する環境発電素子を有し、本体部は、本体部のほぼ中央に配置された磁石と、環境発電素子と電気的に接続され跳躍により電力が供給された際に動作して演算結果を外部に送信する第２無線モジュールとを有し、跳び縄は、ロープのほぼ中央にコイルが配置され、グリップにコイルと電気的に接続され跳躍によってコイルが磁石の上方を通過してコイルから電力が供給された際に動作する第１無線モジュールが内蔵されているように構成した。
したがって、本発明の多重跳び検知システムによれば、多重跳びでの跳躍回数を把握することができる。
【００２２】
本発明の多重跳び検知システムは、ロープの両端にグリップを有しロープの回転を検知し検知結果を外部に無線送信する跳び縄と、跳躍による磁界の変化と振動とを検知し検知結果を外部に無線送信する跳躍板と、跳び縄と跳躍板とから検知結果を受信し両検知結果に基づいて跳躍回数と１跳躍あたりのロープの回転数を演算して演算結果を表示する表示装置とを備え、跳躍板は脚部と本体部とからなり、脚部は、跳躍により発生する振動で発電する環境発電素子を有し、本体部は、本体部のほぼ中央に配置された磁石と、環境発電素子と電気的に接続され跳躍により電力が供給された際に動作して検知結果を外部に送信する第２無線モジュールとを有し、跳び縄は、ロープのほぼ中央にコイルが配置され、グリップにコイルと電気的に接続され跳躍によってコイルが磁石の上方を通過してコイルから電力が供給された際に動作して検知結果を外部に送信する第１無線モジュールが内蔵されているように構成した。
したがって、本発明の多重跳び検知システムによれば、多重跳びでの跳躍回数を把握することができる。
【００２３】
本発明の跳躍板は、本体部と脚部とからなり、本体部は、本体部のほぼ中央に配置されたコイルと、コイルと電気的に接続され磁石の通過によりコイルから電力が供給されて動作して跳躍回数と１跳躍あたりの磁石の通過回数を外部に無線送信する無線モジュールとを有し、脚部は、無線モジュールと電気的に接続され跳躍による振動で発電する環境発電素子を有するように構成した。
したがって、本発明の跳躍板を用いれば、多重跳びでの跳躍回数を把握することができる。
【００２４】
本発明の跳び縄は、ロープとロープの両端に設置されたグリップとを備え、ロープのほぼ中央に磁石を有するように構成した。
したがって、本発明跳び縄を用いれば、多重跳びでの跳躍回数を把握することができる。
【００２５】
本発明の跳躍板は、脚部と本体部からなり、脚部は、跳躍により発生する振動で発電する環境発電素子を有し、本体部は、本体部のほぼ中央に配置された磁石と、環境発電素子と電気的に接続されコイルの通過により電力が供給された際に動作して跳躍回数と１跳躍あたりのコイルの通過回数を演算して演算結果を外部に送信する無線モジュールとを有するように構成した。
したがって、本発明の跳躍板を用いれば、多重跳びでの跳躍回数を把握することができる。
【００２６】
本発明の跳び縄は、ロープとロープの両端に設置されたグリップとを備え、ロープのほぼ中央にコイルが配置され、グリップにコイルと電気的に接続され磁石の上方を通過することによりコイルから電力が供給されて動作して跳躍回数と１跳躍あたりのロープの回転数を演算して演算結果を外部に送信する無線モジュールが内蔵されているように構成した。
したがって、本発明の跳び縄を用いれば、多重跳びでの跳躍回数を把握することができる。
【００２７】
本発明の跳躍板は、脚部と本体部からなり、脚部は、跳躍により発生する振動で発電する環境発電素子を有し、本体部は、本体部のほぼ中央に配置された磁石と、環境発電素子と電気的に接続され跳躍により電力が供給された際に動作して跳躍回数を外部に送信する無線モジュールとを有するように構成した。
したがって、本発明の跳躍板を用いれば、多重跳びでの跳躍回数を把握することができる。
【００２８】
本発明の跳び縄は、ロープとロープの両端に設置されたグリップとを備え、ロープのほぼ中央にコイルが配置され、グリップにコイルと電気的に接続され磁石の上方を通過することによりコイルから電力が供給されて動作してロープの回転数を外部に送信する無線モジュールが内蔵されているように構成した。
したがって、本発明の跳び縄を用いれば、多重跳びでの跳躍回数を把握することができる。
【図面の簡単な説明】
【００２９】
【図１】多重跳び検知システムの第一実施形態を示すブロック図である。
【図２】多重跳び検知システムの第一実施形態を示す模式図である。
【図３】第一実施形態に用いる跳び縄の一例を示す断面図である。
【図４】第一実施形態に用いる跳躍板の脚部の一例を示す断面図である。
【図５】１跳躍あたりロープが１回転する場合を示すグラフである。
【図６】１跳躍あたりロープが２回転する場合を示すグラフである。
【図７】第二、第三、第四実施形態を示すブロック図である。
【図８】第二実施形態の制御信号の流れを示す図である。
【図９】ロープのコイルが配置された部分の拡大断面図である。
【図１０】第二、第三、第四実施形態に用いる跳び縄のグリップの一例を示す断面図である。
【図１１】第三実施形態の制御信号の流れを示す図である。
【図１２】第四実施形態の制御信号の流れを示す図である。
【発明を実施するための形態】
【００３０】
以下、本発明の多重跳び検知システムと、それに用いる跳び縄と跳躍板について、図面を参照しながら実施形態の一例を説明する。
【００３１】
＜第一実施形態＞
本発明の多重跳び検知システム５は、ロープ１０の両端にグリップ１１を有しロープ１０のほぼ中央に磁石１２を有する跳び縄１と、磁石１２の通過により発生する磁界の変化と跳躍により発生する振動とを検知し検知結果に基づいて跳躍回数と１跳躍あたりのロープ１０の回転数を演算して演算結果を外部に無線送信する跳躍板２と、跳躍板２から演算結果を受信し演算結果を表示する表示装置４とを備え、跳躍板２は本体部２０と脚部２１とからなり、本体部２０は、本体部２０のほぼ中央に配置されたコイル２０１と、コイル２０１と電気的に接続され跳躍によって磁石１２がコイル２０１の上方を通過した際にコイル２０１から電力が供給されて動作して演算結果を外部に無線送信する無線モジュール２０２とを有し、脚部２１は、無線モジュール２０２と電気的に接続され跳躍により発生する振動で発電する環境発電素子２１１を有するものである（図１、図２参照）。
【００３２】
（跳び縄）
跳び縄１は、ロープ１０とその両端に設置されたグリップ１１とを備え、ロープ１０のほぼ中央に磁石１２を有する（図２参照）。本実施形態において、磁石１２は跳び縄のロープに取り付ける。磁石１２の取付構造の一例を図３に示す。図３（ａ）は、図の上下に分割可能な１対の取付ブロック１８である。各取付ブロック１８は、磁石１２と、磁石を封止する樹脂部１３と、外側を被覆するクッション部１４とを備えている。１対の取付ブロック１８を、ロープ１０を挟むようにして取り付け、はめ合い部１５で固定する。また、図３（ｂ）は、ヒンジ部１６を中心に図の矢印方向に回動可能な１つの取付ブロック１８である。図３（ａ）同様に、ロープ１０を挟むようにして取り付け、ヒンジ部１６に対向する側のはめ合い部１５で固定する。このように磁石をロープに後付けする構成にすると、多重跳び検知システムに用いる跳び縄を容易に得ることができる。また、磁石を取り外せば、通常の跳び縄として使用できる。
【００３３】
なお、上記では磁石をロープに後付けする構成を示したが、ロープのほぼ中央に磁石が内蔵された跳び縄を用いてもよい。
【００３４】
（跳躍板）
跳躍板２は、磁石１２の通過により発生する磁界の変化と跳躍により発生する振動とを検知し検知結果に基づいて跳躍回数と１跳躍あたりのロープ１０の回転数を演算して演算結果を外部に無線送信する。具体的には、跳躍板２は本体部２０と脚部２１とからなり、本体部２０は、本体部２０のほぼ中央に配置されたコイル２０１と、コイル２０１と電気的に接続され跳躍によって磁石１２がコイル２０１の上方を通過した際にコイル２０１から電力が供給されて動作して演算結果を外部に無線送信する無線モジュール２０２とを有し、脚部２１は、無線モジュール２０２と電気的に接続され跳躍により発生する振動で発電する環境発電素子２１１を有する（図１、図２参照）。
【００３５】
本体部２０の裏面には、コイル２０１と無線モジュール２０２を取り付ける。無線モジュール２０２の内部には、制御回路、発信回路、電源回路が含まれる（図１参照）。制御回路は、電源回路および発信回路と電気的に接続する。また、電源回路はコイル２０１と電気的に接続する。なお、コイル２０１と無線モジュール２０２は、本体部に内蔵してもよい。
【００３６】
本実施形態において、脚部２１は環境発電素子２１１を内蔵し、環境発電素子２１１は、無線モジュール２０２の電源回路と電気的に接続する。脚部の構造の一例を図４に示す。図４（ａ）は、環境発電素子２１１として圧電素子２１１ａを用いている。跳躍によって脚部２１に振動が加わると、圧電素子２１１ａが変形し、電圧を生じる。その電圧を上部電極２１３と下部電極２１４のそれぞれに接続された配線部２１５で取り出し、電流が無線モジュール２０２の電源回路へ供給される。脚部２１は弾性のある可撓部２１２を内蔵している。跳躍による無理な力が脚部に加わっても、可撓部２１２がその力を減衰させるため、圧電素子２１１ａが破損しにくい。図４（ｂ）は、環境発電素子としてコイル２１１ｂと磁石２１１ｃを用いた形態である。コイル２１１ｂの内側に磁石２１１ｃを設置し上側の脚部２１に固定する。跳躍によって脚部２１に振動が加わると、磁石２１１ｃがコイル２１１ｂの内側を上下に動くことにより、コイル２１１ｂに誘導電流が生じる。電流は、配線部２１５を通して無線モジュール２０２の電源回路へ供給される。脚部２１は弾性のある可撓部２１２を内蔵している。跳躍による無理な力が脚部に加わっても、可撓部２１２がその力を減衰させるため、圧電素子２１１ａが破損しにくい。図４（ｃ）は、環境発電素子として磁歪発電機を用いた形態である。磁歪発電機は、脚部内に形成した空洞内に設置する。磁歪発電機は、間隔を空けて平行に並べた２枚の磁歪素子２１１ｄにコイル２１１ｂを巻き付け、磁歪素子２１１ｄの両端には磁石２１１ｃを設置したものである。磁歪素子２１１ｄの一端は脚部に固定する。跳躍によって脚部２１に振動が加わると、磁歪素子２１１ｄが上下に振れることで磁界が変化し、コイル２１１ｂに誘導電流が生じる。電流は、配線部２１５を通して無線モジュール２０２の電源回路へ供給される。
【００３７】
なお、環境発電素子２１１は脚部２１のどれか１つに設置してもよく、すべての脚部２１に設置してもよい。後者の場合は、それぞれの環境発電素子の発電量の違いに基づいて、縄跳びをする者の姿勢が安定して跳べているか、あるいは跳びながら移動してしまっているかなどをモニタリングすることができるため好ましい。また、跳躍板は、１次電池または２次電池を備えていてもよい。
【００３８】
上記跳び縄１を用いて上記跳躍板の上で縄跳びをすると、跳び縄１に取り付けられた磁石１２が跳躍板２に配置されたコイル２０１の上方を通過する。このとき、コイル２０１の磁界が変化し、コイル２０１には誘導電流が生じる。誘導電流はコイル２０１から無線モジュール２０２内の電源回路へ流れ、無線モジュール２０２が動作する。また、跳躍板２の脚部２１に形成された環境発電素子２１１は、跳躍によって発生する振動で発電する。振動は、跳び上がったときと着地したときの２回発生する。つまり、１回の跳躍で２回電流が生じる。生じた電流は、電源回路を介して制御回路に供給される。磁界変化と振動との検知結果に基づいて、制御回路は跳躍回数と１跳躍あたりのロープ１０の回転数を演算する。制御回路としては、ＣＰＵなどを用いることができる。演算結果は、制御信号として無線モジュール２０２の発信回路に出力される。発信回路は、制御信号をあらかじめ割り当てられた周波数により変調し、アンテナ２ａによって表示装置４へ無線送信する。送信周波数は、たとえば４ＭＨｚ〜５ＧＨｚを利用することができる。
【００３９】
上記跳び縄１と上記跳躍板２を用いて、１跳躍あたりロープ１０が１回転する跳び方をした場合を説明する（図５参照）。図５（ａ）、図５（ｂ）の横軸は時間の経過を表し、図５（ａ）の縦軸はコイルに生じた電流の量、図５（ｂ）の縦軸は環境発電素子による発電量を表す。
【００４０】
跳び縄１を持った人が跳躍板２の上で跳び上がると、振動により環境発電素子による発電（Ｂｅ１）がされる（図５（ｂ）参照）。発電により、振動があったことを跳躍板２が検知する。次に、ロープ１０に取り付けられた磁石１２が、跳躍板２のコイル２０１の上方を通過することでコイル２０１に電流（Ｂｃ１）が生じる（図５（ａ）参照）。コイルに電流が生じることにより、跳躍中にロープ１０が１回転したことを跳躍板２が検知する。そして、着地したときに、振動により環境発電素子による発電（Ｂｅ２）がされる（図５（ｂ）参照）。発電により、振動があったことを跳躍板２が検知する。これら検知結果に基づいて跳躍板２の制御回路が演算を行い、１跳躍あたりのロープ１０の回転数が１であることを示す演算結果を発信回路へ出力する。
【００４１】
次に、１跳躍あたりロープ１０が２回転する２重跳びをした場合を説明する（図６参照）。図の横軸と縦軸は、図５の場合と同様である。跳び縄１を持った人が跳躍板２の上で跳び上がると、振動により環境発電素子による発電（Ｂｅ１）がされる（図６（ｂ）参照）。発電により、振動があったことを跳躍板２が検知する。次に、ロープ１０に取り付けられた磁石１２が、跳躍板２のコイル２０１の上方を２回通過することでコイル２０１に電流が２回（Ｂｃ１、Ｂｃ２）生じる（図６（ａ）参照）。コイルに電流が２回生じることにより、跳躍中にロープ１０が２回転したことを跳躍板２が検知する。そして、着地したときに、振動により環境発電素子による発電（Ｂｅ２）がされる（図６（ｂ）参照）。発電により、振動があったことを跳躍板２が検知する。これら検知結果に基づいて跳躍板２の制御回路が演算を行い、１跳躍あたりのロープ１０の回転数が２であることを示す演算結果を発信回路へ出力する。したがって、多重跳びでの跳躍回数を把握することができる。なお、３重跳び、４重跳びと１跳躍あたりのロープの回転数が増えた場合でも、同様にして演算することができる。
【００４２】
（表示装置）
表示装置４は、跳躍板２から演算結果を受信し、表示するものである。表示装置４は、受信回路、制御回路、出力回路、表示部を備える。制御回路としてはＣＰＵなどを用いることができる。表示装置４としては、パーソナルコンピュータなどの固定端末、スマートフォンやタブレットなどの携帯端末を用いることができる。受信回路は、制御信号としての演算結果をアンテナ４ａによって受信して復調し、復調した制御信号としての演算結果を制御回路に出力する。演算結果は記憶部に記憶され、また、出力回路を介して表示部に表示される。表示内容としては、跳躍回数、累積跳躍回数、多重跳びでの跳躍回数などとすることができる。表示装置４により縄跳びをしながら跳躍回数などを把握することができるため、モチベーションを維持または向上することができる。また、健康増進や体力向上を促進することができる。
【００４３】
なお、多重跳び検知システム５は、送受信装置をさらに備えてもよい。送受信装置は、跳躍板２から演算結果を受信して、インターネットに送信するように構成するとよい。インターネットにはサーバが接続されていてもよい。サーバは、演算結果などのデータを蓄積することができる。したがって、本発明のシステムを利用する者は、必要なときに表示装置４からサーバにアクセスすることで、表示装置４の表示部に、多重跳びで何回跳躍したかなどを表示させることができる。また、不特定多数の人から演算結果などのデータを収集し、分析したり使用したりすることもできる。
【００４４】
なお、縄跳びをする者の身長と体重などを記憶部にあらかじめ入力しておいてもよい。この場合、跳躍板の環境発電素子による発電量と、たとえば多重跳びでの跳躍回数に基づいて、消費カロリーを演算し表示することができる。
【００４５】
なお、磁石とコイルは用いず、跳躍板に光センサのみを配置する形態でもよい。光センサにより、ロープが跳躍板の上方を通過したことが分かる。したがって、光センサでロープの回転数を検知することができる。
【００４６】
＜第二実施形態＞
第二実施形態の多重跳び検知システム５は、ロープ１０の両端にグリップ１１を有しロープの回転を検知し制御信号として外部に無線送信する跳び縄１と、跳び縄１を用いた跳躍による磁界の変化と振動とを検知し検知結果に基づいて跳躍回数と１跳躍あたりのロープ１０の回転数を演算して演算結果を外部に無線送信する跳躍板２と、跳躍板２から演算結果を受信し演算結果を表示する表示装置４とを備え、跳び縄１は、ロープ１０のほぼ中央にコイル１０１が配置され、グリップ１１にコイル１０１と電気的に接続され跳躍によってコイル１０１が跳躍板２のほぼ中央に配置された磁石２２の上方を通過した際にコイル１０１から電力が供給されて動作して演算結果を外部に無線送信する第１無線モジュール１１１が内蔵され、跳躍板２は脚部２１と本体部２０とからなり、脚部２１は、跳躍により発生する振動で発電する環境発電素子２１１を有し、本体部２０は、磁石２２と、環境発電素子２１１と電気的に接続され環境発電素子２１１が発電した電力が供給された際に動作して演算結果を外部に送信する第２無線モジュール２０３とを有するものである（図７、図８参照）。なお、以下では、第一実施形態と同じ点については説明を省略する。
【００４７】
（跳び縄）
跳び縄１は、ロープ１０のほぼ中央にコイル１０１が配置され、グリップ１１にコイル１０１と電気的に接続された第１無線モジュール１１１が内蔵されている（図９、図１０参照）。ロープ１０は、コア部１０ａにコイル１０１を巻き付けたものが、保護部１０ｂによって保護されている（図９参照）。コア部１０ａと保護部１０ｂは、絶縁体である。コイル１０１には配線部１７が形成され、配線部１７はコア部１０ａに接している。配線部１７によってコイル１０１と第１無線モジュール１１１とを電気的に接続する。第１無線モジュール１１１は、跳躍によってコイル１０１が跳躍板２のほぼ中央に配置された磁石２２の上方を通過した際に、コイル１０１から電力が供給されて動作する。第１無線モジュール１１１は、コイル１０１と電気的に接続された電源回路と、電源回路と電気的に接続された制御回路および発信／受信回路とを含む。発信／受信回路は、発信と受信の両方が可能な回路である。
【００４８】
本実施形態において、グリップ１１は図１０（ａ）に示す構造をしている。グリップ１１は、回転部１１ａと固定部１１ｂを有している。回転部１１ａは、ロープ１０に固定され、第１無線モジュール１１１を含む回路基板１１ｃを内蔵している。固定部１１ｂは、跳び縄１の使用者が握る部分である。この場合、使用者が跳び縄１を用いて跳躍すると、ロープ１０が回転するとともに、回転部１１ａも回転する。
【００４９】
なお、グリップ１１は、図１０（ｂ）に示す構造であってもよい。グリップ１１は、グリップ１１の空洞内に樹脂部１１ｄを有している。樹脂部１１ｄはロープ１０に固定されている。樹脂部１１ｄには、第１無線モジュール１１１を含む回路基板１１ｃが封止されている。この場合、使用者が跳び縄１を用いて跳躍すると、ロープ１０が回転するとともに、回転部１１ａも回転する。また、グリップ１１は図１０（ｃ）に示す構造であってもよい。グリップ１１は、グリップ１１の空洞内にケース１１ｉを有している。ケース１１ｉはグリップ１１に固定されている。ケース１１ｉには、２つの金属リング１１ｆが内蔵されている。ロープ１０は、グリップ１１に固定された軸受１１ｅを通って、これら金属リング１１ｆと固定されている。また、金属リング１１ｆにはコイル１０１から延びる配線部１７が接続されている。金属リング１１ｆには、導電材からなる押さえ部１１ｇがバネ１１ｈの復元力によって押し付けられるため、金属リングの径方向の移動が抑制される。押さえ部１１ｇには、回路基板１１ｃから延びる配線１９が接続されている。また、第１無線モジュール１１１を含む回路基板１１ｃはグリップ１１内で固定されている。この場合、使用者が跳び縄１を用いて跳躍すると、ロープ１０が回転するとともに、２つの金属リング１１ｆが回転する。
【００５０】
なお、グリップ１１は、各種センサ（加速度センサ、生体センサなど）を有していてもよい。センサにより、消費カロリーや心拍数を把握することができる。
【００５１】
（跳躍板）
跳躍板２は、跳び縄１を用いた跳躍による磁界の変化と振動とを検知し検知結果に基づいて跳躍回数と１跳躍あたりのロープ１０の回転数を演算して演算結果を外部に無線送信する。跳躍板２は、脚部２１と本体部２０とからなる。脚部２１は第一実施形態と同様である。本体部２０は、磁石２２と第２無線モジュール２０３とを有する。磁石２２は、跳躍板２のほぼ中央に配置されている。第２無線モジュール２０３は環境発電素子２１１と電気的に接続されており、環境発電素子２１１が発電した電力が供給された際に動作して、演算結果をアンテナ２ａによって外部に送信する。第２無線モジュール２０３は、発信と受信の両方が可能な発信／受信回路を含む。
【００５２】
上記跳び縄１を用いて上記跳躍板２の上で縄跳びをする場合の制御信号の流れについて、図８を参照して説明する。跳び縄１に配置されたコイル１０１が跳躍板２に配置された磁石２２の上方を通過する。このとき、コイル１０１の磁界が変化し、コイル１０１には誘導電流が生じる。誘導電流はコイル１０１から第１無線モジュール１１１内の電源回路へ流れ、第１無線モジュール１１１が動作する。誘導電流によって第１無線モジュール１１１が動作することにより、跳び縄１がロープ１０の回転を検知できる。跳躍板２の脚部２１に形成された環境発電素子２１１は、跳躍によって発生する振動で発電する。振動は、跳び上がったときと着地したときの２回発生する。つまり、１回の跳躍で２回電流が生じる。生じた電流は、第２無線モジュール２０３内の電源回路を介して制御回路に供給され、第２無線モジュール２０３が動作する。第２無線モジュール２０３が動作することにより、跳躍板２が振動を検知できる。跳び縄によるロープの回転と跳躍板による振動との両検知結果に基づいて、跳躍板の制御回路は跳躍回数と１跳躍あたりのロープ１０の回転数を演算する。演算結果は、第２無線モジュール２０３のアンテナ２ａによって表示装置４により受信され、表示される。
【００５３】
１跳躍あたりロープ１０が１回転する跳び方、および１跳躍あたりロープ１０が２回転する２重跳びをした場合の説明については、第一実施形態と同様である。したがって、第二実施形態においても多重跳びでの跳躍回数を把握することができる。
【００５４】
＜第三実施形態＞
第三実施形態の多重跳び検知システム５は、跳躍による磁界の変化と振動とを検知して検知結果を外部に無線送信する跳躍板２と、ロープ１０の両端にグリップ１１を有しロープの回転を検知して検知結果と跳躍板２からの検知結果に基づいて跳躍回数と１跳躍あたりのロープ１０の回転数を演算して演算結果を外部に無線送信する跳び縄１と、跳び縄１から演算結果を受信し跳躍回数を表示する表示装置４とを備え、跳躍板２は脚部２１と本体部２０とからなり、脚部２１は、跳躍により発生する振動で発電する環境発電素子２１１を有し、本体部２０は、本体部２０のほぼ中央に配置された磁石２２と、環境発電素子２１１と電気的に接続され跳躍により電力が供給された際に動作して演算結果を外部に送信する第２無線モジュール２０３とを有し、跳び縄１は、ロープ１０のほぼ中央にコイル１０１が配置され、グリップ１１にコイル１０１と電気的に接続され跳躍によってコイル１０１が磁石２２の上方を通過してコイル１０１から電力が供給された際に動作する第１無線モジュール１１１が内蔵されているものである（図７参照）。
【００５５】
第三実施形態の跳び縄１、跳躍板２、表示装置４は、第二実施形態と同じである。第二実施形態と異なる点は、跳び縄１が演算を行う点である（図１１参照）。跳び縄１に配置されたコイル１０１が跳躍板２に配置された磁石２２の上方を通過すると、コイル１０１の磁界が変化し、コイル１０１には誘導電流が生じる。誘導電流はコイル１０１から第１無線モジュール１１１内の電源回路へ流れ、第１無線モジュール１１１が動作する。誘導電流によって第１無線モジュール１１１が動作することにより、跳び縄１がロープ１０の回転を検知できる。
【００５６】
跳躍板２の脚部２１に形成された環境発電素子２１１は、跳躍によって発生する振動で発電する。振動は、跳び上がったときと着地したときの２回発生する。つまり、１回の跳躍で２回電流が生じる。生じた電流は、第２無線モジュール２０３内の電源回路を介して制御回路に供給され、第２無線モジュール２０３が動作する。第２無線モジュール２０３が動作することにより、跳躍板２が振動を検知できる。振動の検知結果は、発信／受信回路からアンテナ２ａを介して跳び縄１へ無線送信される。
【００５７】
跳び縄１は、アンテナ１ａを介して跳躍板から、振動の検知結果を発信／受信回路で受信する。検知結果は制御回路へ出力され、跳び縄によるロープの回転と跳躍板による振動との両検知結果に基づいて、跳び縄１の制御回路は跳躍回数と１跳躍あたりのロープ１０の回転数を演算する。演算結果は、第１無線モジュール１１１の発信／受信回路へ出力され、アンテナ１ａによって表示装置４に送信され、表示装置４により受信され表示される。
【００５８】
第三実施形態においても、第一および第二実施形態と同様に、多重跳びでの跳躍回数を把握することができる。
【００５９】
＜第四実施形態＞
第四実施形態の多重跳び検知システム５は、ロープ１０の両端にグリップ１１を有しロープの回転を検知し検知結果を外部に無線送信する跳び縄１と、跳躍による磁界の変化と振動とを検知し検知結果を外部に無線送信する跳躍板２と、跳び縄１と跳躍板２とから検知結果を受信し両検知結果に基づいて跳躍回数と１跳躍あたりのロープ１０の回転数を演算して演算結果を表示する表示装置４とを備え、跳躍板２は脚部２１と本体部２０とからなり、脚部２１は、跳躍により発生する振動で発電する環境発電素子２１１を有し、本体部２０は、本体部２０のほぼ中央に配置された磁石２２と、環境発電素子２１１と電気的に接続され跳躍により電力が供給された際に動作して検知結果を外部に送信する第２無線モジュール２０３とを有し、跳び縄１は、ロープ１０のほぼ中央にコイル１０１が配置され、グリップ１１にコイル１０１と電気的に接続され跳躍によってコイル１０１が磁石２２の上方を通過してコイル１０１から電力が供給された際に動作して検知結果を外部に送信する第１無線モジュール１１１が内蔵されているものである（図７参照）。
【００６０】
第四実施形態の跳び縄１、跳躍板２、表示装置４は、第三実施形態と同じである。第三実施形態と異なる点は、表示装置４が演算を行う点である（図１２参照）。跳び縄１に配置されたコイル１０１が跳躍板２に配置された磁石２２の上方を通過すると、コイル１０１の磁界が変化し、コイル１０１には誘導電流が生じる。誘導電流はコイル１０１から第１無線モジュール１１１内の電源回路へ流れ、第１無線モジュール１１１が動作する。誘導電流によって第１無線モジュール１１１が動作することにより、跳び縄１がロープ１０の回転を検知できる。
【００６１】
跳躍板２の脚部２１に形成された環境発電素子２１１は、跳躍によって発生する振動で発電する。振動は、跳び上がったときと着地したときの２回発生する。つまり、１回の跳躍で２回電流が生じる。生じた電流は、第２無線モジュール２０３内の電源回路を介して制御回路に供給され、第２無線モジュール２０３が動作する。第２無線モジュール２０３が動作することにより、跳躍板２が振動を検知できる。
【００６２】
ロープの回転の検知結果と跳躍板の振動の検知結果は、アンテナ１ａ，２ａを介してそれぞれ表示装置４へ送信され表示装置４に受信される。跳び縄によるロープの回転と跳躍板による振動との両検知結果に基づいて、表示装置の制御回路が跳躍回数と１跳躍あたりのロープ１０の回転数を演算する。演算結果は出力回路へ出力され、表示部に表示される。
【００６３】
第四実施形態においても、第一、第二、および第三実施形態と同様に、多重跳びでの跳躍回数を把握することができる。
【００６４】
なお、第一実施形態から第四実施形態において、環境発電素子２１１に加えて、各種センサを用いてもよい。センサとしては、歪みセンサ、振動センサ、加速度センサ、変位センサ、光センサを用いることができる。光センサでは、跳躍時と着地時における跳躍板上の光量の変化で跳躍を検知することができる。このようにすると、環境発電素子２１１で振動による発電を行い、各種センサで跳躍を検知することができる。また、検知手段の選択肢が広がり、使用状況に応じて最適な検知が可能となる。
【符号の説明】
【００６５】
１  ：跳び縄
１ａ  ：アンテナ
１０  ：ロープ
１０ａ  ：コア部
１０ｂ  ：保護部
１０１  ：コイル
１１  ：グリップ
１１ａ  ：回転部
１１ｂ  ：固定部
１１ｃ  ：回路基板
１１ｄ  ：樹脂部
１１ｅ  ：軸受
１１ｆ  ：金属リング
１１ｇ  ：押さえ部
１１ｈ  ：バネ
１１ｉ  ：ケース
１１１  ：第１無線モジュール
１２  ：磁石
１３  ：樹脂部
１４  ：クッション部
１５  ：はめ合い部
１６  ：ヒンジ部
１７  ：配線部
１８  ：取付ブロック
１９  ：配線
２  ：跳躍板
２ａ  ：アンテナ
２０  ：本体部
２０１  ：コイル
２０２  ：無線モジュール
２０３  ：第２無線モジュール
２１  ：脚部
２１１  ：環境発電素子
２１１ａ：圧電素子
２１１ｂ：コイル
２１１ｃ：磁石
２１１ｄ：磁歪素子
２１２  ：可撓部
２１３  ：上部電極
２１４  ：下部電極
２１５  ：配線部
２２  ：磁石
４  ：表示装置
４ａ  ：アンテナ
【図１】
2018126373.tif 000003
【図２】
2018126373.tif 000004
【図３】
2018126373.tif 000005
【図４】
2018126373.tif 000006
【図５】
2018126373.tif 000007
【図６】
2018126373.tif 000008
【図７】
2018126373.tif 000009
【図８】
2018126373.tif 000010
【図９】
2018126373.tif 000011
【図１０】
2018126373.tif 000012
【図１１】
2018126373.tif 000013
【図１２】
2018126373.tif 000014